(57)【要約】【課題】公共通信網から視聴したい学生(以後、ユーザ) は、配信する大学のサイトにアクセスし各学部の提供する手段で講義を視聴しなければならなかった。【解決手段】ユーザが、サービスを実現するシステム１１０に対し、携帯電話３、PDA１２やパソコン１１又は自宅のパソコン１３０等の情報機器からインターネット１４０を経由してアクセスし、受講したい講義を選択し入力する。システム１１０は、講義配信装置１２０〜１２２（各学部）を操作するプログラムを予め設け、ユーザからの講義選択の入力を各学部の配信装置に割り振る。各学部の講義配信装置１２０〜１２２が、システム１１０からの入力に従い、対応する受信装置１３０、１３１を配信する。【選択図】  図１
2005092655.tif 000002
【特許請求の範囲】
【請求項１】
受講者用のユーザ端末とシステムと少なくとも１つ以上の講義提供機関とユーザの受信装置とが通信ネットワークで結ばれた講義受講統合システムであって、前記システムには、受講者の個人情報及び受講に関する情報を保存する手段と前記保存した情報をネットワーク上で開示する手段とユーザ端末との受講に関する手続きを処理する手続き処理手段と、各大学の大学情報と各大学の各学部が提供する通信講義の内容を登録する手段と、前記登録した情報をネットワーク上で開示する手段とシステム、講義提供機関及びユーザの受信装置からユーザ端末へ通信受講を実行する手段を備えたことを特徴とする講義受講統合システム。
【請求項２】
前記講義受講統合システムには、1つのサイトによる講義受信サービスと複数の講義提供機関のＩＤを一元管理し、ユーザが本サービス利用のためのアカウントを用いて講義提供機関サーバにアクセスして認証を受けるシングルログインサービスをユーザに提供する手段を備えたことを特徴とする請求項１に記載の講義受講統合システム。
【請求項３】
前記講義受講統合システムには、１つ以上の講義提供機関の講義受信を一箇所から操作し遠隔操作する手段と、講義提供機関側の配信装置と受講者側受信装置との間の通信方式の違いや、装置ごとに異なる入出力項目の違いを吸収する手段を備えたことを特徴とする請求項１または２に記載の講義受講統合システム。
【請求項４】
前記講義受講統合システム内の各ユーザから収集した情報に基づき、各ユーザの操作する受信装置に応じたユーザインタフェースを自動生成するマスカスタマイゼーション手段を備えたことを特徴とする請求項１から３のいずれかに記載の講義受講統合システム。
【請求項５】
前記講義受講統合システムは現在の受信装置の状況を予め取得し、また前記講義提供機関の各種講義情報をシステムへ送信可能とし、ユーザインタフェースに反映する手段を備えたことを特徴とする請求項１から４のいずれかに記載の講義受講統合システム。
【請求項６】
受講者用のユーザ端末とシステムと各学部とユーザの受信装置とが通信ネットワークで結ばれた講義受講統合システムにおける講義受講方法であって、受講者の個人情報及び受講に関する情報を保存し、前記登録した情報をネットワーク上で開示し、ユーザ端末との受講に関する手続きの処理を行い、各講義提供機関の受講情報と各講義提供機関が提供する通信講義の内容を登録し、前記登録した情報をネットワーク上で開示し、システム、各講義提供機関及びユーザの受信装置からユーザ端末へ講義を送信することを特徴とする講義受講統合システムにおける講義受講方法。
【発明の詳細な説明】
【技術分野】
【０００１】
本発明は、通信ネットワークを利用した通信受講システム及び受講方法に関する。
【背景技術】
【０００２】
現在、公共通信網からインターネットを使用しデジタル化された講義を配信する技術が複数存在している。一般回線を用いているものもあれば、専用回線や衛星回線を経由して配信しているものもある。また、配信技術においても数多くの種類が存在する。このような配信教育システムとしては、特許文献１に示されているような通信ネットワークを利用した通信教育システムが知られている。
【０００３】
【特許文献１】特開2002-91279号公報
【発明の開示】
【発明が解決しようとする課題】
【０００４】
現在実施されている通信講義システムでは、各講義提供機関によって採用する技術が異なるため、ユーザが複数の提供元の提供する講義を公共の通信網から受信するためには、複数の提供元が提供する公共の通信網に対応した配信装置を備えて、それぞれにアクセスして受信する必要があった。このため、一括して複数の提供元の提供する講義を視聴することは困難であった。
【０００５】
上記特許文献１に示されているような従来の通信教育システムでは、この問題を解決するために通信教育センターを設け、複数の大学からの講義をまとめて管理し、配信しているが、このセンターで各講義の方式を変換するか、一定の方式に統一して受け付ける必要があった。
【０００６】
本発明の目的は、上記課題を解決し、各講義提供機関毎に異なる公共網から講義を受信するインタフェースを自動的に１つにまとめて提供するサイトを実現し、ユーザのシングルログインやユーザ毎のカスタマイズを可能とする講義受講統合システムと、それによる講義受講方法を提供することにある。
【課題を解決するための手段】
【０００７】
上記課題を解決するために、本発明の講義受講統合システムは以下のように構成する。受講者用のユーザ端末とシステムと講義提供機関とユーザの受信装置とは通信ネットワークで結ばれている。講義提供機関は複数接続可能で、例えば複数の大学や大学内の複数の学部が参加する形態が想定される。講義受講統合システムの各手段はこのシステムに備え、受講者の個人情報及び受講に関する情報を保存する手段と、前記保存した情報をネットワーク上でＷeｂページ等によって開示する手段と、ユーザ端末と受講に必要な情報を送受信して講義提供機関への受講に関する手続きを処理する手続き処理手段を備える。これによりユーザの複数の講義提供機関への受講手続きをシステムで一括して処理することが可能となる。個人情報開示手段により、ユーザは登録内容をＷeｂページ上で確認することが可能となる。
【０００８】
さらに本発明の講義受講統合システムは、講義提供機関の受講情報と講義提供機関が提供する通信講義の内容を登録する手段と、前記登録した情報をネットワーク上で開示する手段とシステム、各学部及びユーザの受信装置からユーザ端末へ通信受講を実行するための手段を備える。これにより複数大学の複数学部の複数の講義を一括してシステムで管理し、ユーザに講義メニューを開示し、また実際の受講を行うことが可能となる。講義受講統合システムは、講義配信装置の実装に左右されない共通の操作性をユーザに提供するよう、各学部側の配信装置とユーザ側受信装置との間の通信方式の違いや、装置ごとに異なる入出力項目の違いを吸収し、エンコードする手段を備える。
【０００９】
これはユーザ毎の受信方式と講義提供機関毎の配信方式を講義受講統合システムに登録したテーブルを備え、この対応により変換方式を選定することで実現する。これにより講義提供機関もユーザも通信方式を意識すること無く講義の配信と受信を行うことが可能となる。
【００１０】
本発明の講義受講統合システムは、ユーザが複数のアカウントを管理する手間を削減するよう、複数の学部のＩＤを一元管理し、ユーザが本サービス利用のためのアカウントを用いて講義提供機関サーバにアクセスして認証を受けるシングルログイン機能を備える。このシングルログイン機能は従来からあるシングルログイン方法によって実現すれば良い。さらに、システム内の各ユーザから収集した情報より、各ユーザの操作する受信装置に応じたユーザインタフェースを自動生成しマスカスタマイゼーションする機能を備え、ユーザごとに個別のインタフェースを提供できる。
【００１１】
また、講義受講統合システムは、Ｗeｂページ等のインタフェース上で1つのサイトにより各講義提供機関の受講情報や講義を提供する。これにより従来複数の視聴手段が必要であったものを一つのインタフェースから利用できるようになる。複数受講している場合、各講義提供機関毎のメニューを同じ画面に表示させて一元操作する手段も備える。
【００１２】
さらに遠隔操作と、また学部間を越え時間帯を意識することなく同時に複数もの講義の予約と受信を可能とするように、リアルタイムの講義配信だけでなく格納した講義を受講する手段を設け、各講義提供機関の講義送受信を一箇所から操作できる手段を備える。
【００１３】
またさらに、講義受講統合システムは、各講義提供機関の学務情報管理システムと連携する機能を備え、学生スケジュール管理、取得単位、休講通知、補講通知などの情報や現在の受信装置の状況を予め取得し、各種講義情報をユーザインタフェースに反映する手段を備える。これにより、急な休講や補講の開催情報を受講と同一のインタフェースで取得することが可能となる。さらに複数講義提供機関の学務情報管理システムの取得単位管理の情報と連携することで、一般教養や限定した講義で学部間を越えた単位の認定ができる講義を上記インタフェース上で表示することが可能となる。
【００１４】
講義受講統合システムは、講義の配信だけでなく、ユーザからの情報を受信して各講義提供機関へ送信する機能を備える。これにより、講義によりレポートなど講義課題が必要な場合、指定したフォーマットなどのドキュメントを送受信し、各講義提供機関へのレポートの提出が同一インタフェース上で可能となる。
【発明の効果】
【００１５】
以上のように、本発明の講義受講統合システムは、1つのサイトにより複数の講義提供機関からの講義受信サービスを提供することにより、ユーザが講義提供機関が提供する配信装置に個別にアクセスをする労力を削減し、講義提供機関の講義受信を一箇所から操作でき、遠隔操作が可能となり、また学部間を越え講義時間帯を意識することなく複数の講義の予約と受信を可能とする。
【００１６】
また、通信方式の違いや、装置ごとに異なる入出力項目の違いを吸収し、講義配信装置の実装に左右されない共通の操作性をユーザに提供することで、配信技術ごとに異なる操作を強いられていたユーザの労力を削減する効果がある。
【発明を実施するための最良の形態】
【００１７】
本発明の講義受講統合システムは、ユーザが公共通信網から各学部の講義を視聴する手段の統一を実現することを特徴としている。以下、図面を用いて本発明の実施例を説明する。
【００１８】
図１は本発明の講義受講統合システムとユーザ、各講義提供機関を連携した全体構成の例である。図１において、ユーザが、サービスを実現するシステム１１０に対し、携帯電話３、PDA１２やパソコン１１又は自宅のパソコン１３０等の情報機器からインターネット１４０を経由してアクセスし、受講したい講義を選択し入力する。システム１１０は、講義配信装置１２０〜１２２（各学部）を操作するプログラムを予め設け、ユーザからの講義選択の入力を各学部の配信装置に割り振る。各学部の講義配信装置１２０〜１２２が、システム１１０からの入力に従い、対応する受信装置１３０、１３１を配信する。
【００１９】
図８に図１のシステム１１０が備える講義統合システムの機能構成例を示す。講義統合システムは、各種情報をクライアントへ提供する情報提供機能８１、アカウントを一元管理し各ユーザ認証を行うシングルログイン機能８２、異なる入出力項目の違いを吸収するエンコード機能８３、各講義提供機関の講義送受信を一箇所から操作する遠隔操作機能８５，ユーザのインタフェースを受講形態に合わせて自動生成するマスカスタマイゼーション機能８６，異なる媒体にあわせた通信方式に対応する通信方式対応機能８７からなり、個人認証のための個人認証データベース、個人の受講情報を管理する個人情報データベース、大学の各学部の講義情報を管理する学部情報データベース、大学の受講方法や学務情報システムと連携して取得した情報を格納する学内情報データベース、講義をカテゴリ分けするためのカテゴリデータベース、講義の実体である映像・音声データベースを備え、さらにユーザ毎の受講履歴等を管理するログデータベースを備える。
図８においてユーザは操作端末８１０よりインターネット８９を通じてシステム８６へアクセスする。アクセス後、ユーザは個人情報を登録することでアカウントが発行される。登録した個人情報はシステム８６のデータベースへ保存され一元管理される。これにより今後、ユーザがシステム８６にアクセスした時にはシングルログイン機能８２により煩わしい複数ものアクセス作業が軽減される。システム８６へのアクセスには遠隔操作機能８５よりユーザの端末場所を問わずアクセスが可能である。システム８６はユーザの情報と同時に学部情報も登録し、ユーザが取り寄せたい学内情報や学部側が取り寄せたい個人情報の相互的な情報のやり取りを可能とする情報提供機能８１をもつ。また、ユーザ側で得られた情報は情報量、情報形態によりインタフェースが自動生成されるマスカスタマイゼーション機能８６が実行される。
【００２０】
ユーザの操作端末８１０が異なる場合においても、通信方式対応機能８７により各種通信方式に対応。受講時にユーザ側の受信装置８１１に対し配信装置８１２とのデータ技術が異なる場合、システム８６側にてエンコード機能８３を実行することで異なる入出力項目の違いを吸収することが可能となる。
以下にシングルログイン機能８２によるシングルログイン処理の詳細を説明する。
本発明の講義受講統合システムは、各学部の講義配信装置利用のためのアカウントを一元管理し、ユーザが本サービス利用のためのアカウントのみで各学部の講義配信装置を利用できるようにするためのシングルログイン機能８２を備える。各ユーザには、所有する受信装置を利用するためのユーザアカウントを予め登録してもらう。ユーザが、各学部の講義配信装置を利用するためのユーザアカウントを持っていない場合、ユーザの希望に応じて各学部の講義配信装置利用のためのアカウント作成代行をサービスとして行う。
【００２１】
図２はシングルログイン処理の流れを示す図である。図２において、ユーザ端末１よりシステム２の講義受講統合システムへアクセス２１を行う。講義受講統合システム側にてユーザ端末１へ個人情報登録画面送信２１０する。ユーザ端末１側にて個人情報登録画面表示２２される。ユーザは個人情報を入力後、講義受講統合システムへ個人情報送信２２を行う。講義受講統合システム側にて受信した個人情報に対し、個人情報登録２１１を実行する。個人情報登録２１１が完了すると講義受講統合システム側からユーザ端末１へ学部一覧情報送信２１２が行われる。ユーザ端末１側にて学部一覧表示２４される。ユーザは受講する学部選択２５を行う。講義受講統合システムはユーザより選択された学部の学部講座一覧情報要求送信２１４を該当学部に対し行う。
【００２２】
学部３側は要求情報をもとに学部講座一覧情報送信２４０を講義受講統合システムへ向け実行。講義受講統合システムは受信データをもとにユーザ端末１へ向け学部講座一覧情報送信２１５を実行。ユーザ端末１にて受信データをもとに講座一覧表示２３０される。ユーザはユーザ端末１上で講座選択２３１を実行する。ユーザは講義受講統合システムへ向け個人ID・講座情報送信２３２する。講義受講統合システムはユーザ端末より受信したデータをもとに講義登録２１６を実行。講義受講統合システム側から各学部３へ向け個人ID・講座情報送信２１７を実行。各学部３は講義受講統合システム側より受信したデータをもとに個人ID・講座登録２４１を実行。
【００２３】
各学部３は登録完了後、講義受講統合システムへ向け講座登録情報送信２４２を実行。講義受講統合システムは各学部３から受信したデータよりユーザ端末１へ向け講座登録情報送信２１８を実行。ユーザ端末１では講義受講統合システムより受信したデータをもとに講座登録情報表示２３３される。これにより登録完了２３４となる。
【００２４】
以下に本発明の講義受講統合システムの講義配信処理の詳細を説明する。
講義受講統合システムは、各講義提供機関に講義配信装置を操作するプログラムを提供する。プログラムは、例えばCTIで配信する装置に対するプログラムや、電子メールで配信の操作を行う装置に対するプログラム、Webから講義配信を行う装置に対するプログラムなど、通信方式毎、装置毎に用意する。
図３に講義配信処理の流れを示す。図３において、ユーザ端末１よりシステム２の講義受講統合システムへアクセス３１を行う。講義受講統合システム側にてユーザ端末１へ個人ID入力画面送信３１０する。ユーザ端末１側にて個人ID入力画面にて個人ID入力３２を行う。ユーザは個人ID入力３２した後、講義受講統合システムへ個人ID送信３３を行う。講義受講統合システム側にて個人ID検索３１１を実行。検索後、該当ユーザへ学部・受講中情報送信３１２を実行。ユーザ端末１で受信したデータをもとに現在受講中の講義一覧が表示され、今回受講する学部・受講講義選択３４を実行する。
【００２５】
講義受講統合システムにてユーザ端末１側から受信したデータに個人IDを加え、個人ID・学部・受講講義送信３１３を実行する。各学部３は講義受講統合システム側から受信したデータをもとに個人ID・学部・受講講義検索３２０を実行し、該当ユーザを検索する。このとき、先に登録を行った個人情報でユーザの受信(閲覧)可能な形式技術と学部３側が提供するデータ配信形式技術が異なる場合、受講データ送信３２１を実行する。学部側から受け取ったデータを講義受講統合システム側にてユーザの受信技術に合わせたフォーマットにエンコード３１４を実行する。エンコード完了後、ユーザの受信装置４へ受講講義データ配信３１５実行する。
【００２６】
受信装置４側にて受信完了後、講義受講統合システム側へ受信完了送信３３０を実行する。講義受講統合システム側は受信装置より受け取ったメッセージをユーザ端末１側へ受信完了送信３１６実行する。ユーザ端末１側で受信したデータをもとに受信完了表示３６を実行する。
【００２７】
ユーザ受信装置４に配信された講義データをもとに受講開始３３１する。講義終了後３３２、受信装置４側から講義受講統合システムと該当学部へ個人ID・学部・受講終了情報送信３３３を送信する。
該当学部３は受信装置から送られてきたデータをもとに個人ID・学部・受講講義検索３２２を実行する。検索後、該当ユーザの受講記録更新３２３を実行する。
【００２８】
講義受講統合システムは受信装置４から送られてきたデータをもとに個人ID・学部・受講講義検索３１７を実行する。検索後、該当ユーザの受講記録更新３１８実行する。その後、講義受講統合システムはユーザ端末１側へ更新情報送信３１９を実行する。ユーザ端末側で講義受講統合システムより受信したデータをもとに受講記録表示３６を行う。
【００２９】
以下に、講義受講統合システムのマスカスタマイゼーション機能８６によるユーザインタフェースの作成処理の詳細を説明する。
マスカスタマイゼーション機能８６は、講義受講統合システムで収集したデータベースの個人情報から、各ユーザの操作する受信装置に応じたユーザインタフェースを自動生成する仕組みを提供する。また、現在の受信装置の状況を予め取得し、ユーザインタフェースに反映できる実装を行う。更に、ユーザごとに個別のインタフェースを提供するためのマスカスタマイゼーション機能も提供する。
【００３０】
さらに学務情報管理システムと連携して、同一インタフェース上で学生スケジュール管理、取得単位、休講通知、補講通知なども提供する。
【００３１】
図４に各種講義情報を取得する処理の流れを示す。図４において、各種講義情報を得る場合、ユーザ端末１側にてシステムへアクセス４１を行う。講義受講統合システム側にて個人ID入力画面送信４１０する。ユーザ端末１側にて個人ID入力画面が表示され個人ID入力４２を実行。ユーザ端末１側より講義受講統合システム側へ個人ID送信４３を実行。講義受講統合システム側にて該当ユーザを特定するため個人ID検索４１１を実行。該当ユーザが受講中である学部３へ個人ID・学部・受講講義送信４２０する。学部３側にて受信したデータをもとに個人ID・学部・受講講義検索４２０を実行。
【００３２】
ユーザを特定後、ユーザが受講中の各種講義情報送信４２１を講義受講統合システム側へ送信。講義受講統合システムは学部３から受信したデータをもとにユーザ端末へ各種講義情報送信４１３する。ユーザ端末側にて講義受講統合システム側からのデータをもとに各種講義情報表示４４が行われる。
以下に情報提供機能８１による添付資料の送受信サービスの詳細を説明する。
【００３３】
本発明の講義受講統合システムは、講義によりレポートなど講義課題が必要な場合に、指定したフォーマットのドキュメントの送受信を支援する機能を提供する。これによりサテライト講義にはない受身主体の講義からの脱却を図ることが可能となる。また、講義に必要な資料などもこれにより配信可能となる。
【００３４】
図５にレポート・資料の送受信を支援する処理の流れを示す。図５において、学部３側で個人ID・学部・受講講義検索５１０が実行され、該当ユーザを検索する。該当ユーザを検索後レポート・資料データ配信５１１を行う。受信装置４はレポート・資料データ受信５２０を行う。受信完了後、講義受講統合システムへレポート・資料データ受信完了送信５２１を行う。講義受講統合システム側で送信データをもとにメッセージを送信先ユーザを特定するため個人ID・学部・受講講義検索５３０を実行。該当ユーザを特定後、受信完了送信５３１を実行する。ユーザ端末１にてメッセージを受信することによりユーザ端末１側にて受信完了表示５４０される。
【００３５】
また、ユーザがレポートを提出する際には、端末側にてレポート提出５４１を講義受講統合システムへ向け実行。講義受講統合システム側にて個人ID・学部・受講講義検索５３２を実行後、該当ユーザの受信装置宛にレポート要求送信５３３を実行。受信装置４にてメッセージを受信後、講義受講統合システムへレポートデータ送信５２２が実行される。講義受講統合システムは受信したレポートデータ登録５３４を実施。提出先学部３へ個人ID・学部・受講講義・レポートデータ送信５３５を実行。学部３にて送信先の該当ユーザを特定するため個人ID・学部・受講講義検索５１２を実行。
【００３６】
該当ユーザ特定後、レポートデータ受信５１３する。レポートデータ受信５１３後、ユーザ端末１へレポートデータ受信情報送信５１４を実行する。ユーザ端末１はメッセージ受信後、レポート提出完了表示５４２を行う。
【００３７】
以下に遠隔操作機能８５によるユーザが所有する全ての受信装置及び各学部からのメッセージの通知を、ユーザが1箇所もしくは複数箇所で受け取れるサービスの詳細を説明する。講義受講統合システムは、ユーザに対するメッセージ送信先を管理し、１箇所でメッセージ受信先を指定できるように設定する。電話やメールといった送信形式が違うメッセージが、ユーザへのメッセージ通知手段として混在する場合は、システムがメッセージを受け取り、ユーザが指定する適切なメッセージ通知手段で、ユーザにメッセージを通知するように設定する。
【００３８】
図６に上記一括メッセージ受信処理の流れを示す。図６において、各ユーザは自分の端末６１〜６３を用いてシステムにアクセスする。各ユーザは講義受講統合システムに対し、メッセージ送信先とメッセージ送信形式６１０〜６１２を登録する。学部３または受信装置からの各ユーザ向けにメッセージ６２１〜６２２を講義受講統合システムは受信し、各ユーザの送信先・送信形式６３０〜６３２を照合する。照合の結果、システムは各ユーザが登録した送信形式で送信先６４０〜６４２へメッセージを送信する。各ユーザは登録先の端末６５０〜６５４にて受信する。
【００３９】
以下に本発明の講義受講統合システムを学務情報システムと連携し、複数学部の単位の認定を行う処理の詳細を説明する。近年、一般教養や限定した講義によっては学部間を越え、取得単位データの提供することで共有し単位の認定を行うことが可能とされている。また大学内の学部に限らず、提携大学の単位も認定するようになってきており、各大学・各学部で講義受講統合システムを利用してデータの提携、共有を行うことで大学間を越えた講義の受講とその単位認定が可能となる。
【００４０】
図７に複数学部での単位認定処理の流れを示す。図７において、講義受講統合システムより個人ID・学部・受講講義７１０を学部３へ送信する。学部３は受信データをもとに個人ID・学部・受講講義検索７２０を実行する。受講済み講義データが該当する学部３にて共有講義かどうか共有講義判定７２１を実行する。判定後、共有講義で認定される場合、個人ID・受講終了登録７２２を学部３側にて行う。判定結果７２３を講義受講統合システムへ送信する。講義受講統合システム側にて単位認定登録７３０を行う。判定結果７３１をユーザ端末１へ送信する。判定結果をユーザ端末１にて表示する。
【図面の簡単な説明】
【００４１】
【図１】本発明の講義受講統合システムの構成例を示す図。
【図２】個人ID及び講義登録手順の処理を示す図。
【図３】受講手順及び受講完了手順の処理を示す図。
【図４】講義情報取得手順の処理を示す図。
【図５】添付資料の送受信手順の処理を示す図。
【図６】各種メッセージ受信処理を示す図。
【図７】受講データの提供及び共有処理を示す図。
【図８】講義統合システムの機能構成例を示す図。
【符号の説明】
【００４２】
１ユーザ端末
２システム
３学部配信装置
４受信装置
【図１】
2005092655.tif 000003
【図２】
2005092655.tif 000004
【図３】
2005092655.tif 000005
【図４】
2005092655.tif 000006
【図５】
2005092655.tif 000007
【図６】
2005092655.tif 000008
【図７】
2005092655.tif 000009
【図８】
2005092655.tif 000010